(57)【要約】【課題】磁気カードからＩＣカードへの切り替えを即時に行うことができ，且つ，金融機関以外の場所でも，磁気カードからＩＣカードへ切り替えることのできるシステムを提供する。【解決手段】カード切替えシステム１においては，ＩＣカード発行装置１０が磁気カード２から磁気データを読み取ると，該磁気データに対応する会員データが会員データ管理装置１１によって検索される。そして，会員データ管理装置１１が検索した会員データからＩＣカード３を発行するための発行データが発行データ生成装置１２によって生成され，発行データ生成装置１２が生成した発行データを利用してＩＣカード３がＩＣカード発行装置１０によって発行される。【選択図】図１
2011145994.tif 000002
【特許請求の範囲】
【請求項１】
磁気カードから磁気データを読み取る手段と発行データに従いＩＣカードを発行する手段を備えたＩＣカード発行装置と，前記磁気カードを所持しているカード会員の会員データを記憶し，前記磁気データに対応する前記会員データを検索する手段を備えた会員データ管理装置と，前記会員データに基づき前記発行データを生成する手段を備えた発行データ生成装置とから少なくとも構成され，前記ＩＣカード発行装置は，前記磁気カードから読み取った前記磁気データを少なくとも前記会員データ管理装置に送信し，前記会員データ管理装置は，前記ＩＣカード発行装置から受信した前記磁気データに対応する前記会員データを検索し，前記発行データ生成装置は，前記会員データ管理装置から送信された前記会員データに基づき前記発行データを生成し，前記ＩＣカード発行装置は，前記発行データ生成装置から送信された前記発行データに従い前記ＩＣカードを発行することを特徴とするカード切替えシステム。
【請求項２】
前記ＩＣカード発行装置は，前記カード会員の認証データを取得する手段を備え，前記会員データ管理装置は，前記ＩＣカード発行装置から送信された前記カード会員の認証データをオンラインで認証する手段を備え，前記ＩＣカード発行装置は，前記磁気データと共に前記カード会員から取得した認証データを前記会員データ管理装置に送信し，前記会員データ管理装置は，前記ＩＣカード発行装置から受信した前記カード会員の認証データの認証に成功した場合のみ，前記ＩＣカード発行装置から受信した前記磁気データに対応する前記会員データを検索するように構成したことを特徴とする請求項１に記載のカード切替えシステム。
【請求項３】
前記発行データ生成装置は，前記会員データ管理装置毎に前記発行データの雛形を記憶し，前記会員データを送信した前記会員データ管理装置の前記発行データの雛形に，前記会員データ管理装置から受信した前記会員データを埋め込むことで前記発行データを生成することを特徴とする請求項１又は請求項２に記載のカード切替えシステム。
【請求項４】
前記会員データ管理装置が記憶している前記会員データに券種を含ませ，前記発行データ生成装置は，前記会員データ管理装置毎に，カードの券種に関連付けて前記発行データの雛形を記憶し，前記会員データを送信した前記会員データ管理装置の前記発行データの雛形の中から，前記会員データで特定される前記券種に関連付けられた前記発行データの雛形を利用して前記発行データを生成することを特徴とする請求項３に記載のカード切替えシステム。
【請求項５】
前記ＩＣカード発行装置は，前記ＩＣカード用の認証データを取得する手段を備え，前記ＩＣカードを発行する際，前記ＩＣカード用の認証データを前記カード会員から取得し，前記ＩＣカード用の認証データを前記ＩＣカードに書き込むことを特徴とする請求項１から請求項４のいずれか一つに記載のカード切替えシステム。
【請求項６】
前記ＩＣカード発行装置は，前記磁気カードを無効処理する無効処理手段を備え，前記ＩＣカードを発行した後に，前記磁気データを読み取った前記磁気カードを無効処理することを特徴とする請求項１から請求項５のいずれか一つに記載のカード切替えシステム。
【請求項７】
前記発行データ生成装置に記憶されている前記発行データの雛形に，前記ＩＣカードの絵柄データの雛形を含ませておき，前記ＩＣカード発行装置に前記カードプリンタユニットを備えさせ，前記ＩＣカード発行装置で前記ＩＣカードの絵柄データを印刷するように構成されたことを特徴とする請求項１から請求項６のいずれか一つに記載のカード切替えシステム。
【請求項８】
磁気カードから磁気データを読み取る手段と発行データに従いＩＣカードを発行する手段を備えたＩＣカード発行装置が，前記磁気カードから読み取った前記磁気データを，前記磁気カードを所持しているカード会員の会員データを記憶している会員データ管理装置に送信するステップａ，前記会員データ管理装置が，前記ＩＣカード発行装置から受信した前記磁気データに対応する前記会員データを検索し，前記会員データに基づき前記発行データを生成する手段を備えた発行データ生成装置へ送信するステップｂ，前記発行データ生成装置が，前記会員データ管理装置から送信された前記会員データに基づき前記発行データを生成し前記ＩＣカード発行装置へ送信するステップｃ，前記ＩＣカード発行装置が，前記発行データ生成装置から送信された前記発行データに従い前記ＩＣカードを発行するステップｄ，が実行されることを特徴とするカード切替え方法。
【請求項９】
前記ステップａにおいて，前記ＩＣカード発行装置は，前記カード会員から認証データを取得し，前記磁気データと共に前記カード会員の認証データを前記会員データ管理装置に送信し，前記ステップｂにおいて，前記会員データ管理装置は，前記ＩＣカード発行装置から受信した前記カード会員の認証データをオンラインで認証し，前記カード会員の認証データの認証に成功した場合のみ，前記磁気データに対応する前記会員データを検索することを特徴とする請求項８に記載のカード切替え方法。
【発明の詳細な説明】
【技術分野】
【０００１】
本発明は，磁気カードからＩＣカードへ切り替えるための技術に関する。
【背景技術】
【０００２】
従来，金融機関系や交通系などの分野では従来から磁気カードが利用されていたが，磁気カードよりもセキュリティの高いＩＣカードへの切替えが進んでいる。交通系の分野では，駅の構内に設置されている定期券販売機を利用することで，磁気カードからＩＣカードへ速やかに切り替えることができるが，金融機関系の分野では，カード会社とカードにデータを書き込むカード製造会社が異なるため，ＩＣカードを発行するまでに数日間以上要するため，磁気カードからＩＣカードへ即時に切替えることのできる仕組みが求められている。
【０００３】
カード会社とカードにデータを書き込むカード製造会社が異なる場合であっても，ＩＣカードを即時に発行できる発明として，本出願人は，カード利用者本人の操作で入力した登録申請情報に基づきカード発行データを生成する登録センターと，該カード発行データに基づきカード発行を行うカード発行装置を備えたカード発行システムを特許文献１で開示している。また，特許文献２では，特許文献１で開示しているカード発行システムよりもセキュアに発行できるＩＣカード即時発行システムを開示している。
【先行技術文献】
【特許文献】
【０００４】
【特許文献１】特開２００２−２４９２０号公報
【特許文献２】特開２００５−３８４１９号公報
【発明の概要】
【発明が解決しようとする課題】
【０００５】
しかしながら，上述した特許文献１や特許文献２で開示されている発明は，金融機関系カードに新規申込した際にＩＣカードを即時に発行することを発明で，磁気カードからＩＣカードへの切り替えを即時に行うための発明ではないし，また，ＩＣカードを即時発行する装置を金融機関以外の場所に設置するための工夫はなされていなかった。
【０００６】
そこで，本発明は，磁気カードからＩＣカードへの切り替えを即時に行うことができ，且つ，金融機関以外の場所でも，磁気カードからＩＣカードへ切り替えることのできるシステム及び方法を提供することを目的とする。
【課題を解決するための手段】
【０００７】
上述した課題を解決する第１の発明は，磁気カードから磁気データを読み取る手段と発行データに従いＩＣカードを発行する手段を備えたＩＣカード発行装置と，前記磁気カードを所持しているカード会員の会員データを記憶し，前記磁気データに対応する前記会員データを検索する手段を備えた会員データ管理装置と，前記会員データに基づき前記発行データを生成する手段を備えた発行データ生成装置とから少なくとも構成され，前記ＩＣカード発行装置は，前記磁気カードから読み取った前記磁気データを少なくとも前記会員データ管理装置に送信し，前記会員データ管理装置は，前記ＩＣカード発行装置から受信した前記磁気データに対応する前記会員データを検索し，前記発行データ生成装置は，前記会員データ管理装置から送信された前記会員データに基づき前記発行データを生成し，前記ＩＣカード発行装置は，前記発行データ生成装置から送信された前記発行データに従い前記ＩＣカードを発行することを特徴とするカード切替えシステムである。
【０００８】
更に，第２の発明は，前記ＩＣカード発行装置は，前記カード会員の認証データを取得する手段を備え，前記会員データ管理装置は，前記ＩＣカード発行装置から送信された前記カード会員の認証データをオンラインで認証する手段を備え，前記ＩＣカード発行装置は，前記磁気データと共に前記カード会員から取得した認証データを前記会員データ管理装置に送信し，前記会員データ管理装置は，前記ＩＣカード発行装置から受信した前記カード会員の認証データの認証に成功した場合のみ，前記ＩＣカード発行装置から受信した前記磁気データに対応する前記会員データを検索するように構成したことを特徴とする第１の発明に記載のカード切替えシステムである。
【０００９】
更に，第３の発明は， 前記発行データ生成装置は，前記会員データ管理装置毎に前記発行データの雛形を記憶し，前記会員データを送信した前記会員データ管理装置の前記発行データの雛形に，前記会員データ管理装置から受信した前記会員データを埋め込むことで前記発行データを生成することを特徴とする第１の発明又は第２の発明に記載のカード切替えシステムである。
【００１０】
更に，第４の発明は，前記会員データ管理装置が記憶している前記会員データに券種を含ませ，前記発行データ生成装置は，前記会員データ管理装置毎に，カードの券種に関連付けて前記発行データの雛形を記憶し，前記会員データを送信した前記会員データ管理装置の前記発行データの雛形の中から，前記会員データで特定される前記券種に関連付けられた前記発行データの雛形を利用して前記発行データを生成することを特徴とする第３の発明に記載のカード切替えシステムである。
【００１１】
更に，第５の発明は，前記ＩＣカード発行装置は，前記ＩＣカード用の認証データを取得する手段を備え，前記ＩＣカードを発行する際，前記ＩＣカード用の認証データを前記カード会員から取得し，前記ＩＣカード用の認証データを前記ＩＣカードに書き込むことを特徴とする第１の発明から第４の発明のいずれか一つに記載のカード切替えシステムである。
【００１２】
更に，第６の発明は，前記ＩＣカード発行装置は，前記磁気カードを無効処理する無効処理手段を備え，前記ＩＣカードを発行した後に，前記磁気データを読み取った前記磁気カードを無効処理することを特徴とする第１の発明から第５の発明のいずれか一つに記載のカード切替えシステムである。
【００１３】
更に，第７の発明は，前記発行データ生成装置に記憶されている前記発行データの雛形に，前記ＩＣカードの絵柄データの雛形を含ませておき，前記ＩＣカード発行装置に前記カードプリンタユニットを備えさせ，前記ＩＣカード発行装置で前記ＩＣカードの絵柄データを印刷するように構成されたことを特徴とする第１の発明から第６の発明のいずれか一つに記載のカード切替えシステムである。
【００１４】
上述した課題を解決する第８の発明は，磁気カードから磁気データを読み取る手段と発行データに従いＩＣカードを発行する手段を備えたＩＣカード発行装置が，前記磁気カードから読み取った前記磁気データを，前記磁気カードを所持しているカード会員の会員データを記憶している会員データ管理装置に送信するステップａ，前記会員データ管理装置が，前記ＩＣカード発行装置から受信した前記磁気データに対応する前記会員データを検索し，前記会員データに基づき前記発行データを生成する手段を備えた発行データ生成装置へ送信するステップｂ，前記発行データ生成装置が，前記会員データ管理装置から送信された前記会員データに基づき前記発行データを生成し前記ＩＣカード発行装置へ送信するステップｃ，前記ＩＣカード発行装置が，前記発行データ生成装置から送信された前記発行データに従い前記ＩＣカードを発行するステップｄ，が実行されることを特徴とするカード切替え方法である。
【００１５】
更に，第９の発明は，前記ステップａにおいて，前記ＩＣカード発行装置は，前記カード会員から認証データを取得し，前記磁気データと共に前記カード会員の認証データを前記会員データ管理装置に送信し，前記ステップｂにおいて，前記会員データ管理装置は，前記ＩＣカード発行装置から受信した前記カード会員の認証データをオンラインで認証し，前記カード会員の認証データの認証に成功した場合のみ，前記磁気データに対応する前記会員データを検索することを特徴とする第８の発明に記載のカード切替え方法である。
【発明の効果】
【００１６】
上述した本発明によれば，磁気カードからＩＣカードへの切り替えを即時に行うことができ，且つ，金融機関以外の場所でも，磁気カードからＩＣカードへ切り替えることのできるシステム及び方法を提供できる。
【図面の簡単な説明】
【００１７】
【図１】カード切替えシステムの構成を説明する図。
【図２】ＩＣカード発行装置のブロック図。
【図３】会員データ管理装置のブロック図。
【図４】発行データ生成装置のブロック図。
【図５】カード切替えシステムで実行される一連の手順を示したフロー図。
【発明を実施するための形態】
【００１８】
ここから，本願発明の実施形態について，本願発明の技術分野に係わる当業者が，本願発明の内容を理解し，本願発明を実施できる程度に説明する。
【００１９】
図１は，本実施形態におけるカード切替えシステム１の構成を説明する図である。図１で図示したカード切替えシステム１は，カード番号や有効期限を磁気データとして記憶した磁気ストライプが付けられた磁気カード２からＩＣカード３への切り替えを即時に行うためのシステムで，コンビニエンスストアなどの店舗に設置されるＩＣカード発行装置１０と，カード会社によって管理されている会員データ管理装置１１と，ＩＣカード製造会社によって管理されている発行データ生成装置１２とから少なくとも構成され，それぞれの装置はネットワーク１３を介して接続されている。
【００２０】
図１で図示したカード切替えシステム１においては，ＩＣカード発行装置１０が磁気カード２から磁気データを読み取ると，該磁気データに対応する会員データが会員データ管理装置１１によって検索される。そして，会員データ管理装置１１が検索した会員データからＩＣカード３を発行するための発行データが発行データ生成装置１２によって生成され，発行データ生成装置１２が生成した発行データを利用してＩＣカード３がＩＣカード発行装置１０によって発行される。
【００２１】
図２は，図１で図示したカード切替えシステム１を構成するＩＣカード発行装置１０のブロック図である。図２に図示したように，ＩＣカード発行装置１０には，ＣＰＵ，ＲＡＭ及びＲＯＭなどが実装された小型のコンピュータボードで実現される制御ボード１００と，未発行状態のＩＣカード３をストックするカードストッカー１０１と，ＩＣカードリーダライタの機能を備え，ＩＣカード３を発行する手段として機能する小型のＩＣカード発行ユニット１０２と，磁気カード２の磁気ストライプに記憶されている磁気データを読み取る手段として機能する磁気カードユニット１０３と，カード会員がＰＩＮ（Personal Identification Number）を入力するためのディスプレイ付きのＰＩＮパッド１０４と，ＩＣカード３への切り替えを行った磁気カード２を無効処理する手段として機能する無効処理ユニット１０５と，セキュアなインターネット通信を行うためのＶＰＮユニット（Virtual Private Network）１０６を備えている。
【００２２】
ＩＣカード３に備えさせた制御ボード１００には，ＩＣカード発行装置１０を制御するためのコンピュータプログラムが実装され，このプログラムによって，ＩＣカード発行装置１０は，磁気カードユニット１０３が磁気カード２から磁気データを読み取ると，ＰＩＮパッド１０４を利用してカード会員からＰＩＮを取得し，該磁気データ及び該ＰＩＮを含むカード発行要求メッセージを会員データ管理装置１１へ送信した後，発行データ生成装置１２から受信した発行データに従いＩＣカード３を発行し，磁気データを読み取った磁気カード２を無効処理ユニット１０５で廃棄する一連の処理を実行する。
【００２３】
なお，本実施形態では，磁気カード２をＩＣカード３へ切り替えるカード会員のオンライン認証に利用する認証データをＰＩＮとしているため，デビットカード（DebitCard）の店舗端末と同様にＰＩＮパッドをＩＣカード発行装置１０に備えさせているに過ぎず，例えば，カード会員の生体データ（例えば，指紋）をオンライン認証として利用する際は，カード会員から生体データを取得する生体センサ（例えば，指紋センサ）をＩＣカード発行装置１０に備えさせればよい。
【００２４】
また，ＩＣカード発行装置１０に備えさせる無効処理ユニット１０５は，磁気カード２の磁気ストライプを読み取り不可能な状態にする機構であればよく，磁気ストライプにパンチ穴を開けるパンチャー機構やシュレッダー機構などを利用できる。
【００２５】
図３は，カード会社によって管理されている会員データ管理装置１１のブロック図である。会員データ管理装置１１は，汎用のサーバ装置を利用して実現される装置で，サーバ装置のハードディスクには，カード会社が発行しているカードを所持するカード会員毎に，カード会員の氏名などのカード会員データ，カード番号，有効期限及びカード会員が所持しているカードの券種などの会員データを記憶する会員データベース１１２（DataBase）が設けられ，更に，サーバ装置を動作させるコンピュータプログラムによって，ＩＣカード発行装置１０から送信された磁気データの一部又は全てを検索条件として会員データを検索し，検索した会員データをＩＣカード発行装置１０に送信する会員データ検索手段１１０と，ＩＣカード発行装置１０から送信されたＰＩＮをオンライン認証するオンライン認証手段１１１が備えられている。
【００２６】
なお，図１では図示していないが，カード会社のネットワーク内にはＶＰＮ機器が設置され，ＩＣカード発行装置１０と会員データ管理装置１１間の通信は暗号化される。
【００２７】
会員データ管理装置１１が，会員データを検索するときの検索条件に利用する磁気データの内容は任意であるが，磁気カード２に記憶されている磁気データにはカード番号が含まれることが一般的であるため，磁気データに含まれるカード番号を検索条件として利用するとよい。また，会員データ管理装置１１に備えられるオンライン認証手段１１１は，ＩＣカード発行装置１０がカード会員から取得する認証データに対応させることが必要になる。
【００２８】
図４は，ＩＣカード製造会社によって管理されている発行データ生成装置１２のブロック図である。ＩＣカード製造会社によって管理されている発行データ生成装置１２は，汎用のサーバ装置を利用して実現される装置で，サーバ装置のハードディスクには，会員データ管理装置１１の識別子（例えば，ＩＰアドレス）毎に，カードの券種に関連付けて発行データ（例えば，アプリケーションのプログラムコード）の雛形を記憶している発行データＤＢ１２１が設けられ，更に，サーバ装置を動作させるコンピュータプログラムによって，ＩＣカード発行装置１０から会員データを受信すると，該会員データからＩＣカード３毎に異なる固有データ（カード会員の氏名，カード番号，有効期限，暗号鍵，証明証など）を生成し，会員データを送信した会員データ管理装置１１の識別子及び会員データから一意に特定できる発行データの雛形に固有データを埋め込むことで発行データを生成した後，発行データをＩＣカード発行端末に送信する発行データ生成手段１２０を備えている。
【００２９】
なお，図１では図示していないが，カード製造会社のネットワーク内にはＶＰＮ機器が設置され，ＩＣカード発行装置１０及び会員データ管理装置１１と発行データ生成装置１２間の通信は暗号化される。
【００３０】
ここから，図１で図示したカード切替えシステム１で実行される一連の手順について説明する。図５は，カード切替えシステム１で実行される一連の手順を示したフロー図である。
【００３１】
磁気カード２からＩＣカード３へ切り替えるとき，ＩＣカード発行装置１０の磁気カードユニットへ磁気カード２を挿入すると，ＩＣカード発行装置１０は，挿入された磁気カード２の磁気ストライプに記憶された磁気データを磁気カードユニット１０３で読み取った後（Ｓ１），ＰＩＮの入力を促すメッセージをＰＩＮパッド１０４のディスプレイに表示し，ＰＩＮパッド１０４に入力された数字列をカード会員のＰＩＮとして取得する（Ｓ２）。
【００３２】
ＩＣカード発行装置１０は，カード会員のＰＩＮを取得すると，磁気カード２から読み取った磁気データ及びＰＩＮを含むカード発行要求メッセージを会員データ管理装置１１へ送信する（Ｓ３）。
【００３３】
会員データ管理装置１１は，ＩＣカード発行装置１０からカード発行要求メッセージを受信すると，まず，オンライン認証手段１１１を作動させて，カード発行要求メッセージに含まれるＰＩＮを認証する（Ｓ４）。会員データ管理装置１１は，カード会員のＰＩＮを認証するために，磁気データに含まれるカード番号に関連付けて参照ＰＩＮを記憶し，カード発行要求メッセージに含まれる磁気データのカード番号に関連付けられた参照ＰＩＮとカード発行要求に含まれるＰＩＮを照合する。
【００３４】
会員データ管理装置１１は，カード発行要求メッセージに含まれるＰＩＮの認証結果に応じて処理を分岐させ（Ｓ５），該ＰＩＮの認証に成功すると，会員データ検索手段１１０を作動させ，カード発行要求メッセージに含まれる磁気データに対応する会員データを会員ＤＢ１１２から検索し（Ｓ６），カード発行要求メッセージに含まれるＰＩＮの認証結果（ここでは，成功）と共に，検索した会員データを発行データ生成装置１２へ送信する（Ｓ７）。
【００３５】
また，会員データ管理装置１１は，カード発行要求メッセージに含まれるＰＩＮの認証に失敗すると，会員データを検索することなく，カード発行要求メッセージに含まれるＰＩＮの認証結果（ここでは，失敗）を発行データ生成装置１２へ送信する（Ｓ８）。
【００３６】
発行データ生成装置１２は，会員データ管理装置１１から送信されたＰＩＮの認証結果によって処理を分岐させ（Ｓ９），ＰＩＮの認証結果によって認証の成功が示されるとき，発行データ生成手段１２０を作動させ，会員データを送信した会員データ管理装置１１の識別子に対応して記憶されている発行データの雛形の中から，会員データに含まれる券種に関連付けられた発行データの雛形を発行データＤＢ１２１から取得した後，会員データから生成した固有データを該発行データの雛形に埋め込むことで発行データを生成し，生成した発行データをＩＣカード発行装置１０へ送信する（Ｓ１０）。
【００３７】
また，発行データ生成装置１２は，ＰＩＮの認証結果によって認証の失敗が示されるとき，発行データ生成手段１２０を作動させることなく，発行中止をＩＣカード発行装置１０へ通知する（Ｓ１１）。
【００３８】
ＩＣカード発行装置１０は，発行データ生成装置１２から発行データを受信すると，カードストッカー１０１からＩＣカード発行ユニット１０２へ，１枚の未発行状態のＩＣカード３を供給した後，ＩＣカード発行ユニット１０２を作動させて，受信した発行データを未発行状態のＩＣカード３に書き込むことでＩＣカード３を発行する（Ｓ１２）。
【００３９】
ＩＣカード発行装置１０は，ＩＣカード３を発行すると発行したＩＣカード３を排出した後，無効処理ユニット１０５を作動させて，ＩＣカード３へ切り替えた磁気カード２を無効処理（Ｓ１３）してこの手順を終了する。
【００４０】
また，ＩＣカード発行装置１０は，発行データ生成装置１２から発行中止が通知されると，ＩＣカード３を発行することなく，磁気カード２を排出する処理（Ｓ１４）してこの手順を終了する。
【００４１】
このように，図１で図示したカード切替えシステム１では，ＩＣカード発行装置１０は，磁気カード２から読み取った磁気データを少なくとも会員データ管理装置１１に送信し，会員データ管理装置１１は，ＩＣカード発行装置１０から受信した磁気データに対応する会員データを検索し，発行データ生成装置１２は，会員データ管理装置１１から送信された会員データに基づき発行データを生成し，ＩＣカード発行装置１０は，発行データ生成装置１２から送信された発行データに従いＩＣカード３を発行する一連の動作が実行される。
【００４２】
よって，カード会員は磁気カード２をＩＣカード発行装置１０に挿入するだけで，ＩＣカード３へ即時に切り替えることができる。
【００４３】
更に，会員データ管理装置１１が，金融用途で利用するオンライン認証する機能を備えていれば，ＩＣカード発行装置１０が取得した認証データを会員データ管理装置１１にオンライン認証させるように構成することで，金融機関のオペレータがカード会員をその場で確認する必要がなく，ＩＣカード発行機１０を様々な場所（例えば，コンビニエンスストア）に設置することができるようになる。
【００４４】
更に，発行データ生成装置１２に，会員データ管理装置１１毎に発行データの雛形を記憶させ，会員データを検索した会員データ管理装置１１の発行データの雛形に，会員データを埋め込むことで発行データを生成するように構成することで，一台のＩＣカード発行装置１０で様々なカード会社のＩＣカード３を発行できるようになる。
【００４５】
また，発行データ生成装置１２に，会員データ管理装置１１毎に，券種に関連付けて発行データの雛形を記憶させておけば，カード会社が発行している様々な券種に対応するＩＣカード３を，一台のＩＣカード発行装置１０で発行できるようになる。
【００４６】
更に，発行データ生成装置１２側で，ＩＣカード３を発行した後に，磁気カード２を物理的に破棄するようにしておけば，発行データ生成装置１２側で回収した磁気カード２の不正利用を防ぐことができる。
【００４７】
なお、本発明は、これまで説明した実施の形態に限定されることなく、種々の変形や変更が可能である。
【００４８】
例えば，ＩＣカード発行装置に，オンライン認証に利用する認証データ（例えば，ＰＩＮ）を取得する手段に加え，ＩＣカード用の認証データ（例えば，生体データ）を取得する手段を備えさせ，ＩＣカードを発行する際，カード会員からＩＣカード用の認証データ取得し，ＩＣカード用の認証データをＩＣカードに書き込むようにすれば，ＩＣカード発行装置で発行するＩＣカードに，ＩＣカード用の認証データを登録することができるようになる。
【００４９】
また，発行データ生成装置に，発行データの雛形に，ＩＣカードの絵柄データの雛形を含ませておき，ＩＣカード発行装置にカードプリンタユニットを備えさせておけば，ＩＣカード発行装置側でＩＣカードの絵柄データをも印刷できるようにすることができる。
【符号の説明】
【００５０】
１    カード切替えシステム
１０  ＩＣカード発行装置
１００  制御ボード
１０１  カードストッカー
１０２  ＩＣカード発行ユニット
１０３  磁気カードユニット
１０４  ＰＩＮパッド
１０５  無効処理ユニット
１０６  ＶＰＮユニット
１１  会員データ管理装置
１１０  会員データ検索手段
１１１  オンライン認証手段
１１２  会員データベース
１２  発行データ生成装置
１２０  発行データ生成手段
１２１  発行データＤＢ
【図１】
2011145994.tif 000003
【図２】
2011145994.tif 000004
【図３】
2011145994.tif 000005
【図４】
2011145994.tif 000006
【図５】
2011145994.tif 000007